(57)【要約】【課題】照明装置の照射方向から照明装置を見た時に光源1の光軸1'に近接する部分が光って見えるようにしつつ、導光レンズ2の反射面2eの反射率を向上させる。【解決手段】光源1からの光L1a,L1b,L1c,L1dが、導光レンズ2の入射面2aを介して入射し、放物系反射面2bによって内面反射されて光源1の光軸1'から遠ざかる向きに進み、反射面2cによって内面反射され、反射面2dによって内面反射されて光源1の光軸1'に近づく向きに進むように構成された照明装置10において、導光レンズ2の中実部2-2と中空部2-1との境界面によって反射面2e1,2e2,2e3,2e4を形成し、反射面2dからの光L1a,L1b,L1c,L1dが反射面2e1,2e2,2e3,2e4によって内面反射されて光源1の光軸1'に概略平行な向きに進み、出射面2fを介して照明装置の照射方向に照射される。【選択図】図３
2010212039.tif 000002
【特許請求の範囲】
【請求項１】
第１発光素子光源（１）から放射された光（Ｌ１ａ，Ｌ１ｂ，Ｌ１ｃ，Ｌ１ｄ）が、導光レンズ（２）の第１入射面（２ａ）を介して導光レンズ（２）内に入射し、導光レンズ（２）の放物系第１反射面（２ｂ）によって内面反射されて第１発光素子光源（１）の光軸（１’）から遠ざかる向きに進み、導光レンズ（２）の第２反射面（２ｃ）によって内面反射され、導光レンズ（２）の第３反射面（２ｄ）によって内面反射されて第１発光素子光源（１）の光軸（１’）に近づく向きに進むように構成された照明装置（１０）において、
導光レンズ（２）の内部に中空部（２−１）を形成し、
導光レンズ（２）の中実部（２−２）と中空部（２−１）との境界面によって導光レンズ（２）の第１反射面（２ｂ）を形成し、
導光レンズ（２）の中実部（２−２）と中空部（２−１）との境界面によって導光レンズ（２）の第４反射面（２ｅ１，２ｅ２，２ｅ３，２ｅ４）を形成し、
導光レンズ（２）の第３反射面（２ｄ）からの光（Ｌ１ａ，Ｌ１ｂ，Ｌ１ｃ，Ｌ１ｄ）が、導光レンズ（２）の第４反射面（２ｅ１，２ｅ２，２ｅ３，２ｅ４）によって内面反射されて第１発光素子光源（１）の光軸（１’）に概略平行な向きに進み、導光レンズ（２）の出射面（２ｆ）を介して照明装置の照射方向に照射され、
導光レンズ（２）の第１反射面（２ｂ）を隔てて第１発光素子光源（１）の反対側であって第１発光素子光源（１）の光軸（１’）に近接する位置に導光レンズ（２）の第４反射面（２ｅ１，２ｅ２，２ｅ３，２ｅ４）のうちの少なくとも一部（２ｅ１）を配置したことを特徴とする照明装置（１０）。
【請求項２】
導光レンズ（２）の放物系第１反射面（２ｂ）と第２反射面（２ｃ）との間に、導光レンズ（２）の中実部（２−２）と中空部（２−１）との境界面によって平面状の第１透過面（２ｇ）を形成し、
導光レンズ（２）の第４反射面（２ｅ１，２ｅ２，２ｅ３，２ｅ４）を複数に分割して形成し、
複数に分割して形成された導光レンズ（２）の第４反射面（２ｅ１，２ｅ２，２ｅ３，２ｅ４）の間に、導光レンズ（２）の中実部（２−２）と中空部（２−１）との境界面によって平面状の第２透過面（２ｈ１，２ｈ２，２ｈ３）を形成し、
第２発光素子光源（３ａ，３ｂ，３ｃ，３ｄ）を第１発光素子光源（１）から離間させて配置し、
第２発光素子光源（３ａ，３ｂ，３ｃ，３ｄ）から放射された光（Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３）が、導光レンズ（２）の第２入射面（２ｉ１，２ｉ２，２ｉ３，２ｉ４）を介して導光レンズ（２）内に入射し、導光レンズ（２）の第１透過面（２ｇ）を透過せしめられ、導光レンズ（２）の第２透過面（２ｈ１，２ｈ２，２ｈ３）を透過せしめられ、導光レンズ（２）の出射面（２ｆ）を介して照明装置の照射方向に照射されることを特徴とする請求項１に記載の照明装置（１０）。
【請求項３】
導光レンズ（２）の放物系第１反射面（２ｂ）からの反射光（Ｌ１ａ，Ｌ１ｂ，Ｌ１ｃ，Ｌ１ｄ）が第１発光素子光源（１）の光軸（１’）に直交する向きに進み、
導光レンズ（２）の第３反射面（２ｄ）からの反射光（Ｌ１ａ，Ｌ１ｂ，Ｌ１ｃ，Ｌ１ｄ）が第１発光素子光源（１）の光軸（１’）に直交する向きに進み、
導光レンズ（２）の第４反射面（２ｅ１，２ｅ２，２ｅ３，２ｅ４）からの反射光（Ｌ１ａ，Ｌ１ｂ，Ｌ１ｃ，Ｌ１ｄ）が第１発光素子光源（１）の光軸（１’）に平行な向きに進み、
第１発光素子光源（１）の光軸（１’）に直交する平面によって導光レンズ（２）の出射面（２ｆ）を構成し、
第１発光素子光源（１）の点灯時に第２発光素子光源（３ａ，３ｂ，３ｃ，３ｄ）が消灯され、
第２発光素子光源（３ａ，３ｂ，３ｃ，３ｄ）の点灯時に第１発光素子光源（１）が消灯されることを特徴とする請求項２に記載の照明装置（１０）。
【発明の詳細な説明】
【技術分野】
【０００１】
本発明は、発光素子光源から放射された光が、導光レンズの入射面を介して導光レンズ内に入射し、導光レンズの放物系第１反射面によって内面反射されて発光素子光源の光軸から遠ざかる向きに進み、導光レンズの第２反射面によって内面反射され、導光レンズの第３反射面によって内面反射されて発光素子光源の光軸に近づく向きに進むように構成された照明装置に関する。
【０００２】
特に、本発明は、照明装置の照射方向から照明装置を見た時に照明装置のうち発光素子光源の光軸に近接する部分が光って見えるようにすると共に、導光レンズの第３反射面からの光を反射する反射面の反射率を向上させることができる照明装置に関する。
【背景技術】
【０００３】
従来から、発光素子光源から放射された光が、導光レンズの入射面を介して導光レンズ内に入射し、次いで、導光レンズの放物系第１反射面によって内面反射されて発光素子光源の光軸から遠ざかる向きに進み、次いで、導光レンズの第２反射面によって内面反射され、次いで、導光レンズの第３反射面によって内面反射されて発光素子光源の光軸に近づく向きに進むように構成された照明装置が知られている。この種の照明装置の例としては、例えば特開２００８−３４１２４号公報の図２に記載されたものがある。
【０００４】
特開２００８−３４１２４号公報の図２に記載された照明装置では、発光素子光源としてＬＥＤ光源が用いられている。更に、導光レンズが、例えばアクリル樹脂、ポリカーボネート樹脂などのような透光性材料によって形成されている。
【０００５】
また、特開２００８−３４１２４号公報の図２に記載された照明装置では、導光レンズの第３反射面によって内面反射されて発光素子光源の光軸に近づく向きに進む光を素通しさせる出射面が導光レンズに形成されている。
【０００６】
詳細には、特開２００８−３４１２４号公報の図２に記載された照明装置では、導光レンズの出射面から出射した光を反射して照明装置の照射方向に進む光にするための反射面を有するリフレクタが、導光レンズとは別個に設けられている。
【０００７】
更に、特開２００８−３４１２４号公報の図２に記載された照明装置では、導光レンズの第１反射面を隔てて発光素子光源の反対側であって発光素子光源の光軸に近接する位置にリフレクタの反射面の一部が配置されている。
【０００８】
そのため、特開２００８−３４１２４号公報の図２に記載された照明装置では、照明装置の照射方向から照明装置を見た時に、照明装置のうち、発光素子光源の光軸に近接する部分が光って見えるようにすることができる。
【先行技術文献】
【特許文献】
【０００９】
【特許文献１】特開２００８−３４１２４号公報の図２
【発明の概要】
【発明が解決しようとする課題】
【００１０】
ところで、特開２００８−３４１２４号公報の図２に記載された照明装置では、発光素子光源から放射された光が、導光レンズの第１反射面、第２反射面および第３反射面において内面反射されるものの、リフレクタの反射面においては外面反射される。
【００１１】
つまり、特開２００８−３４１２４号公報に記載された照明装置では、発光素子光源から放射された光が、導光レンズの第１反射面、第２反射面および第３反射面において非常に高い反射率で内面全反射されるものの、リフレクタの反射面においては外面反射される。
【００１２】
そのため、特開２００８−３４１２４号公報に記載された照明装置では、例えばリフレクタの反射面の表面の汚れなどにより、リフレクタの反射面の反射率が、導光レンズの第１反射面、第２反射面および第３反射面の反射率に比べて低くなってしまうおそれがある。
【００１３】
前記問題点に鑑み、本発明は、導光レンズの第３反射面からの光を反射する反射面の反射率を向上させることができる照明装置を提供することを目的とする。
【００１４】
詳細には、本発明は、照明装置の照射方向から照明装置を見た時に照明装置のうち発光素子光源の光軸に近接する部分が光って見えるようにすると共に、導光レンズの第３反射面からの光を反射する反射面の反射率を向上させることができる照明装置を提供することを目的とする。
【課題を解決するための手段】
【００１５】
請求項１に記載の発明によれば、第１発光素子光源（１）から放射された光（Ｌ１ａ，Ｌ１ｂ，Ｌ１ｃ，Ｌ１ｄ）が、導光レンズ（２）の第１入射面（２ａ）を介して導光レンズ（２）内に入射し、導光レンズ（２）の放物系第１反射面（２ｂ）によって内面反射されて第１発光素子光源（１）の光軸（１’）から遠ざかる向きに進み、導光レンズ（２）の第２反射面（２ｃ）によって内面反射され、導光レンズ（２）の第３反射面（２ｄ）によって内面反射されて第１発光素子光源（１）の光軸（１’）に近づく向きに進むように構成された照明装置（１０）において、導光レンズ（２）の内部に中空部（２−１）を形成し、導光レンズ（２）の中実部（２−２）と中空部（２−１）との境界面によって導光レンズ（２）の第１反射面（２ｂ）を形成し、導光レンズ（２）の中実部（２−２）と中空部（２−１）との境界面によって導光レンズ（２）の第４反射面（２ｅ１，２ｅ２，２ｅ３，２ｅ４）を形成し、導光レンズ（２）の第３反射面（２ｄ）からの光（Ｌ１ａ，Ｌ１ｂ，Ｌ１ｃ，Ｌ１ｄ）が、導光レンズ（２）の第４反射面（２ｅ１，２ｅ２，２ｅ３，２ｅ４）によって内面反射されて第１発光素子光源（１）の光軸（１’）に概略平行な向きに進み、導光レンズ（２）の出射面（２ｆ）を介して照明装置の照射方向に照射され、導光レンズ（２）の第１反射面（２ｂ）を隔てて第１発光素子光源（１）の反対側であって第１発光素子光源（１）の光軸（１’）に近接する位置に導光レンズ（２）の第４反射面（２ｅ１，２ｅ２，２ｅ３，２ｅ４）のうちの少なくとも一部（２ｅ１）を配置したことを特徴とする照明装置（１０）が提供される。
【００１６】
請求項２に記載の発明によれば、導光レンズ（２）の放物系第１反射面（２ｂ）と第２反射面（２ｃ）との間に、導光レンズ（２）の中実部（２−２）と中空部（２−１）との境界面によって平面状の第１透過面（２ｇ）を形成し、導光レンズ（２）の第４反射面（２ｅ１，２ｅ２，２ｅ３，２ｅ４）を複数に分割して形成し、複数に分割して形成された導光レンズ（２）の第４反射面（２ｅ１，２ｅ２，２ｅ３，２ｅ４）の間に、導光レンズ（２）の中実部（２−２）と中空部（２−１）との境界面によって平面状の第２透過面（２ｈ１，２ｈ２，２ｈ３）を形成し、第２発光素子光源（３ａ，３ｂ，３ｃ，３ｄ）を第１発光素子光源（１）から離間させて配置し、第２発光素子光源（３ａ，３ｂ，３ｃ，３ｄ）から放射された光（Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３）が、導光レンズ（２）の第２入射面（２ｉ１，２ｉ２，２ｉ３，２ｉ４）を介して導光レンズ（２）内に入射し、導光レンズ（２）の第１透過面（２ｇ）を透過せしめられ、導光レンズ（２）の第２透過面（２ｈ１，２ｈ２，２ｈ３）を透過せしめられ、導光レンズ（２）の出射面（２ｆ）を介して照明装置の照射方向に照射されることを特徴とする請求項１に記載の照明装置（１０）が提供される。
【００１７】
請求項３に記載の発明によれば、導光レンズ（２）の放物系第１反射面（２ｂ）からの反射光（Ｌ１ａ，Ｌ１ｂ，Ｌ１ｃ，Ｌ１ｄ）が第１発光素子光源（１）の光軸（１’）に直交する向きに進み、導光レンズ（２）の第３反射面（２ｄ）からの反射光（Ｌ１ａ，Ｌ１ｂ，Ｌ１ｃ，Ｌ１ｄ）が第１発光素子光源（１）の光軸（１’）に直交する向きに進み、導光レンズ（２）の第４反射面（２ｅ１，２ｅ２，２ｅ３，２ｅ４）からの反射光（Ｌ１ａ，Ｌ１ｂ，Ｌ１ｃ，Ｌ１ｄ）が第１発光素子光源（１）の光軸（１’）に平行な向きに進み、第１発光素子光源（１）の光軸（１’）に直交する平面によって導光レンズ（２）の出射面（２ｆ）を構成し、第１発光素子光源（１）の点灯時に第２発光素子光源（３ａ，３ｂ，３ｃ，３ｄ）が消灯され、第２発光素子光源（３ａ，３ｂ，３ｃ，３ｄ）の点灯時に第１発光素子光源（１）が消灯されることを特徴とする請求項２に記載の照明装置（１０）が提供される。
【発明の効果】
【００１８】
請求項１に記載の照明装置（１０）では、第１発光素子光源（１）から放射された光（Ｌ１ａ，Ｌ１ｂ，Ｌ１ｃ，Ｌ１ｄ）が、導光レンズ（２）の第１入射面（２ａ）を介して導光レンズ（２）内に入射し、次いで、導光レンズ（２）の放物系第１反射面（２ｂ）によって内面反射されて第１発光素子光源（１）の光軸（１’）から遠ざかる向きに進み、次いで、導光レンズ（２）の第２反射面（２ｃ）によって内面反射され、次いで、導光レンズ（２）の第３反射面（２ｄ）によって内面反射されて第１発光素子光源（１）の光軸（１’）に近づく向きに進む。
【００１９】
詳細には、請求項１に記載の照明装置（１０）では、導光レンズ（２）の内部に中空部（２−１）が形成されている。更に、導光レンズ（２）の中実部（２−２）と中空部（２−１）との境界面によって導光レンズ（２）の第１反射面（２ｂ）が形成されている。また、導光レンズ（２）の中実部（２−２）と中空部（２−１）との境界面によって導光レンズ（２）の第４反射面（２ｅ１，２ｅ２，２ｅ３，２ｅ４）が形成されている。
【００２０】
更に詳細には、請求項１に記載の照明装置（１０）では、導光レンズ（２）の第３反射面（２ｄ）からの光（Ｌ１ａ，Ｌ１ｂ，Ｌ１ｃ，Ｌ１ｄ）が、導光レンズ（２）の第４反射面（２ｅ１，２ｅ２，２ｅ３，２ｅ４）によって内面反射されて第１発光素子光源（１）の光軸（１’）に概略平行な向きに進み、導光レンズ（２）の出射面（２ｆ）を介して照明装置の照射方向に照射される。
【００２１】
換言すれば、請求項１に記載の照明装置（１０）では、導光レンズ（２）の第３反射面（２ｄ）からの光（Ｌ１ａ，Ｌ１ｂ，Ｌ１ｃ，Ｌ１ｄ）を反射して照明装置の照射方向に進む光（Ｌ１ａ，Ｌ１ｂ，Ｌ１ｃ，Ｌ１ｄ）にするための反射面として、特開２００８−３４１２４号公報の図２に記載された照明装置のようにリフレクタの反射面が設けられているのではなく、導光レンズ（２）の中実部（２−２）と中空部（２−１）との境界面によって形成される導光レンズ（２）の第４反射面（２ｅ１，２ｅ２，２ｅ３，２ｅ４）が設けられている。
【００２２】
つまり、請求項１に記載の照明装置（１０）では、導光レンズ（２）の第３反射面（２ｄ）からの光（Ｌ１ａ，Ｌ１ｂ，Ｌ１ｃ，Ｌ１ｄ）が、特開２００８−３４１２４号公報の図２に記載された照明装置のようにリフレクタの反射面によって外面反射されるのではなく、導光レンズ（２）の第４反射面（２ｅ１，２ｅ２，２ｅ３，２ｅ４）によって内面反射される。
【００２３】
そのため、請求項１に記載の照明装置（１０）によれば、導光レンズ（２）の第３反射面（２ｄ）からの光（Ｌ１ａ，Ｌ１ｂ，Ｌ１ｃ，Ｌ１ｄ）がリフレクタの反射面によって外面反射される特開２００８−３４１２４号公報の図２に記載された照明装置よりも、導光レンズ（２）の第３反射面（２ｄ）からの光（Ｌ１ａ，Ｌ１ｂ，Ｌ１ｃ，Ｌ１ｄ）を反射する反射面（２ｅ１，２ｅ２，２ｅ３，２ｅ４）の反射率を向上させることができる。
【００２４】
更に、請求項１に記載の照明装置（１０）では、導光レンズ（２）の第１反射面（２ｂ）を隔てて第１発光素子光源（１）の反対側であって第１発光素子光源（１）の光軸（１’）に近接する位置に導光レンズ（２）の第４反射面（２ｅ１，２ｅ２，２ｅ３，２ｅ４）のうちの少なくとも一部（２ｅ１）が配置されている。
【００２５】
また、請求項１に記載の照明装置（１０）では、導光レンズ（２）の第４反射面（２ｅ１，２ｅ２，２ｅ３，２ｅ４）からの光（Ｌ１ａ，Ｌ１ｂ，Ｌ１ｃ，Ｌ１ｄ）が第１発光素子光源（１）の光軸（１’）に概略平行な向きに進み、導光レンズ（２）の出射面（２ｆ）を介して照明装置の照射方向に照射される。
【００２６】
そのため、請求項１に記載の照明装置（１０）によれば、照明装置の照射方向から照明装置（１０）を見た時に、照明装置（１０）のうち、第１発光素子光源（１）の光軸（１’）に近接する部分（２ｅ１）が光って見えるようにすることができる。
【００２７】
すなわち、請求項１に記載の照明装置（１０）によれば、照明装置の照射方向から照明装置（１０）を見た時に照明装置（１０）のうち第１発光素子光源（１）の光軸（１’）に近接する部分（２ｅ１）が光って見えるようにすると共に、導光レンズ（２）の第３反射面（２ｄ）からの光（Ｌ１ａ，Ｌ１ｂ，Ｌ１ｃ，Ｌ１ｄ）を反射する反射面（２ｅ１，２ｅ２，２ｅ３，２ｅ４）の反射率を向上させることができる。
【００２８】
請求項２に記載の照明装置（１０）では、導光レンズ（２）の放物系第１反射面（２ｂ）と第２反射面（２ｃ）との間に、導光レンズ（２）の中実部（２−２）と中空部（２−１）との境界面によって平面状の第１透過面（２ｇ）が形成されている。また、導光レンズ（２）の第４反射面（２ｅ１，２ｅ２，２ｅ３，２ｅ４）が複数に分割して形成されている。
【００２９】
更に、請求項２に記載の照明装置（１０）では、複数に分割して形成された導光レンズ（２）の第４反射面（２ｅ１，２ｅ２，２ｅ３，２ｅ４）の間に、導光レンズ（２）の中実部（２−２）と中空部（２−１）との境界面によって平面状の第２透過面（２ｈ１，２ｈ２，２ｈ３）が形成されている。また、第２発光素子光源（３ａ，３ｂ，３ｃ，３ｄ）が第１発光素子光源（１）から離間して配置されている。
【００３０】
詳細には、請求項２に記載の照明装置（１０）では、第２発光素子光源（３ａ，３ｂ，３ｃ，３ｄ）から放射された光（Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３）が、導光レンズ（２）の第２入射面（２ｉ１，２ｉ２，２ｉ３，２ｉ４）を介して導光レンズ（２）内に入射し、次いで、導光レンズ（２）の第１透過面（２ｇ）を透過せしめられ、次いで、導光レンズ（２）の第２透過面（２ｈ１，２ｈ２，２ｈ３）を透過せしめられ、次いで、導光レンズ（２）の出射面（２ｆ）を介して照明装置の照射方向に照射される。
【００３１】
つまり、請求項２に記載の照明装置（１０）では、照明装置の照射方向から照明装置（１０）を見た時に、第２発光素子光源（３ａ，３ｂ，３ｃ，３ｄ）から放射され、導光レンズ（２）の出射面（２ｆ）から出射した光（Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３）によって、第２発光素子光源（３ａ，３ｂ，３ｃ，３ｄ）が光って見える。
【００３２】
一方、請求項２に記載の照明装置（１０）では、第１発光素子光源（１）から放射された光（Ｌ１ａ，Ｌ１ｂ，Ｌ１ｃ，Ｌ１ｄ）が、導光レンズ（２）の第１入射面（２ａ）を介して導光レンズ（２）内に入射し、次いで、導光レンズ（２）の放物系第１反射面（２ｂ）によって内面反射され、次いで、導光レンズ（２）の第２反射面（２ｃ）によって内面反射され、次いで、導光レンズ（２）の第３反射面（２ｄ）によって内面反射され、次いで、導光レンズ（２）の第４反射面（２ｅ１，２ｅ２，２ｅ３，２ｅ４）によって内面反射され、次いで、導光レンズ（２）の出射面（２ｆ）を介して照明装置の照射方向に照射される。
【００３３】
つまり、請求項２に記載の照明装置（１０）では、照明装置の照射方向から照明装置（１０）を見た時に、第１発光素子光源（１）から放射され、導光レンズ（２）の出射面（２ｆ）から出射した光（Ｌ１ａ，Ｌ１ｂ，Ｌ１ｃ，Ｌ１ｄ）によって、導光レンズ（２）の第４反射面（２ｅ１，２ｅ２，２ｅ３，２ｅ４）が光って見える。
【００３４】
そのため、請求項２に記載の照明装置（１０）によれば、第２発光素子光源（３ａ，３ｂ，３ｃ，３ｄ）が設けられていない場合よりも、照明装置（１０）の観察者に照明装置（１０）の奥行き感を感じさせることができる。すなわち、請求項２に記載の照明装置（１０）によれば、第２発光素子光源（３ａ，３ｂ，３ｃ，３ｄ）が設けられていない場合よりも、照明装置（１０）を立体的に見せることができる。
【００３５】
請求項３に記載の照明装置（１０）では、導光レンズ（２）の放物系第１反射面（２ｂ）からの反射光（Ｌ１ａ，Ｌ１ｂ，Ｌ１ｃ，Ｌ１ｄ）が第１発光素子光源（１）の光軸（１’）に直交する向きに進むように、導光レンズ（２）の第１入射面（２ａ）および放物系第１反射面（２ｂ）が形成されている。
【００３６】
また、請求項３に記載の照明装置（１０）では、導光レンズ（２）の第３反射面（２ｄ）からの反射光（Ｌ１ａ，Ｌ１ｂ，Ｌ１ｃ，Ｌ１ｄ）が第１発光素子光源（１）の光軸（１’）に直交する向きに進むように、導光レンズ（２）の第２反射面（２ｃ）および第３反射面（２ｄ）が形成されている。
【００３７】
更に、請求項３に記載の照明装置（１０）では、導光レンズ（２）の第４反射面（２ｅ１，２ｅ２，２ｅ３，２ｅ４）からの反射光（Ｌ１ａ，Ｌ１ｂ，Ｌ１ｃ，Ｌ１ｄ）が第１発光素子光源（１）の光軸（１’）に平行な向きに進むように、導光レンズ（２）の第４反射面（２ｅ１，２ｅ２，２ｅ３，２ｅ４）が形成されている。
【００３８】
また、請求項３に記載の照明装置（１０）では、第１発光素子光源（１）の光軸（１’）に直交する平面によって導光レンズ（２）の出射面（２ｆ）が構成されている。更に、第１発光素子光源（１）の点灯時に第２発光素子光源（３ａ，３ｂ，３ｃ，３ｄ）が消灯される。
【００３９】
その結果、請求項３に記載の照明装置（１０）では、第１発光素子光源（１）の点灯時に、導光レンズ（２）の出射面（２ｆ）から出射した第１発光素子光源（１）の光軸（１’）に平行な光（Ｌ１ａ，Ｌ１ｂ，Ｌ１ｃ，Ｌ１ｄ）によって配光パターンが形成される。つまり、請求項３に記載の照明装置（１０）では、第１発光素子光源（１）の点灯時に、導光レンズ（２）の出射面（２ｆ）の大きさと等しいか、あるいは、導光レンズ（２）の出射面（２ｆ）の大きさよりも小さい配光パターンが形成される。
【００４０】
また、請求項３に記載の照明装置（１０）では、第２発光素子光源（３ａ，３ｂ，３ｃ，３ｄ）の点灯時に第１発光素子光源（１）が消灯される。その結果、請求項３に記載の照明装置（１０）では、第２発光素子光源（３ａ，３ｂ，３ｃ，３ｄ）の点灯時に、第２発光素子光源（３ａ，３ｂ，３ｃ，３ｄ）からの放射光（Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３）によって、導光レンズ（２）の出射面（２ｆ）の大きさよりも大きい配光パターンが形成される。
【００４１】
そのため、請求項３に記載の照明装置（１０）によれば、第１発光素子光源（１）からの光（Ｌ１ａ，Ｌ１ｂ，Ｌ１ｃ，Ｌ１ｄ）によって小さい配光パターンを形成することができると共に、第２発光素子光源からの光（Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３）によって大きい配光パターンとを形成することができる。
【００４２】
詳細には、請求項３に記載の照明装置（１０）では、導光レンズ（２）の第４反射面（２ｅ１，２ｅ２，２ｅ３，２ｅ４）が複数に分割して形成されている。そのため、請求項３に記載の照明装置（１０）によれば、第１発光素子光源（１）の点灯時に、導光レンズ（２）の複数に分割して形成された第４反射面（２ｅ１，２ｅ２，２ｅ３，２ｅ４）からの光（Ｌ１ａ，Ｌ１ｂ，Ｌ１ｃ，Ｌ１ｄ）によって、複数の筋状のパターンからなる配光パターンを形成することができる。
【図面の簡単な説明】
【００４３】
【図１】第１の実施形態の照明装置１０の平面図である。
【図２】第１の実施形態の照明装置１０の鉛直断面図である。
【図３】図２（Ａ）に示す鉛直断面内における発光素子光源１から放射された光Ｌ１ａ，Ｌ１ｂ，Ｌ１ｃ，Ｌ１ｄの光路を示した図である。
【図４】発光素子光源１の点灯時に照明装置の照射方向から照明装置１０を見た場合に光って見える部分を説明するための図である。
【図５】発光素子光源３ａ，３ｂ，３ｃ，３ｄから放射された光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３の光路を示した図である。
【図６】第２の実施形態の照明装置１０の平面図である。
【図７】第２の実施形態の照明装置１０の鉛直断面図である。
【図８】発光素子光源１から放射された光Ｌ１ａ，Ｌ１ｂ，Ｌ１ｃ，Ｌ１ｄの光路を示した図である。
【図９】発光素子光源１の点灯時に照明装置の照射方向から照明装置１０を見た場合に光って見える部分を説明するための図である。
【図１０】発光素子光源３ａ，３ｂ，３ｃ，３ｄから放射された光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３の光路を示した図である。
【発明を実施するための形態】
【００４４】
以下、本発明の照明装置の第１の実施形態について説明する。図１は第１の実施形態の照明装置１０の平面図である。図２は第１の実施形態の照明装置１０の鉛直断面図である。詳細には、図２（Ａ）は図１のＡ−Ａ線に沿った鉛直断面図、図２（Ｂ）は図１のＢ−Ｂ線に沿った鉛直断面図、図２（Ｃ）は図１のＣ−Ｃ線に沿った鉛直断面図である。図３は図２（Ａ）に示す鉛直断面内における発光素子光源１から放射された光Ｌ１ａ，Ｌ１ｂ，Ｌ１ｃ，Ｌ１ｄの光路を示した図である。図４は発光素子光源１の点灯時に照明装置の照射方向から照明装置１０を見た場合に光って見える部分を説明するための図である。
【００４５】
図５は発光素子光源３ａ，３ｂ，３ｃ，３ｄから放射された光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３の光路を示した図である。詳細には、図５（Ａ）は図２（Ｂ）に示す鉛直断面内における発光素子光源３ａ，３ｂから放射された光Ｌ３ａ１，Ｌ３ａ２，Ｌ３ａ３，Ｌ３ｂ１，Ｌ３ｂ２，Ｌ３ｂ３の光路を示した図である。図５（Ｂ）は図２（Ｃ）に示す鉛直断面内における発光素子光源３ｃ，３ｄから放射された光Ｌ３ｃ１，Ｌ３ｃ２，Ｌ３ｃ３，Ｌ３ｄ１，Ｌ３ｄ２，Ｌ３ｄ３の光路を示した図である。
【００４６】
第１の実施形態の照明装置１０では、図１および図２に示すように、例えばＬＥＤなどのような発光素子光源１，３ａ，３ｂ，３ｃ，３ｄが基板４上に搭載されている。更に、例えばアクリル樹脂、ポリカーボネート樹脂などのような透光性材料によって形成された導光レンズ２が、例えば接着などによって基板４に接合されている。
【００４７】
詳細には、第１の実施形態の照明装置１０では、図２に示すように、中実部２−２の下側部分２−２ａと上側部分２−２ｂとを例えば接着などによって接合することにより、導光レンズ２の中実部２−２が形成されている。更に、導光レンズ２の中実部２−２の下側部分２−２ａと上側部分２−２ｂとの間に中空部２−１が配置されている。
【００４８】
更に、第１の実施形態の照明装置１０では、図２（Ａ）に示すように、導光レンズ２の中実部２−２の下側部分２−２ａの下面のうち、発光素子光源１に対向する位置に、例えば概略半球状の入射面２ａが形成されている。詳細には、第１の実施形態の照明装置１０では、図３に示すように、発光素子光源１から放射された光Ｌ１ａ，Ｌ１ｂ，Ｌ１ｃ，Ｌ１ｄが導光レンズ２の入射面２ａを素通しせしめられるように、導光レンズ２の入射面２ａが形成されている。
【００４９】
また、第１の実施形態の照明装置１０では、図２（Ｂ）に示すように、導光レンズ２の中実部２−２の下側部分２−２ａの下面のうち、発光素子光源３ａに対向する位置に例えば概略半球状の入射面２ｉ１が形成され、発光素子光源３ｂに対向する位置に例えば概略半球状の入射面２ｉ２が形成されている。詳細には、第１の実施形態の照明装置１０では、図５（Ａ）に示すように、発光素子光源３ａから放射された光Ｌ３ａ１，Ｌ３ａ２，Ｌ３ａ３が導光レンズ２の入射面２ｉ１を素通しせしめられるように、導光レンズ２の入射面２ｉ１が形成されている。更に、発光素子光源３ｂから放射された光Ｌ３ｂ１，Ｌ３ｂ２，Ｌ３ｂ３が導光レンズ２の入射面２ｉ２を素通しせしめられるように、導光レンズ２の入射面２ｉ２が形成されている。
【００５０】
更に、第１の実施形態の照明装置１０では、図２（Ｃ）に示すように、導光レンズ２の中実部２−２の下側部分２−２ａの下面のうち、発光素子光源３ｃに対向する位置に例えば概略半球状の入射面２ｉ３が形成され、発光素子光源３ｄに対向する位置に例えば概略半球状の入射面２ｉ４が形成されている。詳細には、第１の実施形態の照明装置１０では、図５（Ｂ）に示すように、発光素子光源３ｃから放射された光Ｌ３ｃ１，Ｌ３ｃ２，Ｌ３ｃ３が導光レンズ２の入射面２ｉ３を素通しせしめられるように、導光レンズ２の入射面２ｉ３が形成されている。更に、発光素子光源３ｄから放射された光Ｌ３ｄ１，Ｌ３ｄ２，Ｌ３ｄ３が導光レンズ２の入射面２ｉ４を素通しせしめられるように、導光レンズ２の入射面２ｉ４が形成されている。
【００５１】
また、第１の実施形態の照明装置１０では、図２に示すように、導光レンズ２の中実部２−２の下側部分２−２ａと中空部２−１との境界面によって反射面２ｂが形成されている。詳細には、導光レンズ２の反射面２ｂが、放物線を図２の手前−奥側方向（図１の上下方向）にスイープさせる（引き伸ばしする）ことにより得られる放物柱面によって形成されている。更に詳細には、第１の実施形態の照明装置１０では、図３に示すように、発光素子光源１から放射された光Ｌ１ａ，Ｌ１ｂ，Ｌ１ｃ，Ｌ１ｄが導光レンズ２の反射面２ｂによって反射されると水平光Ｌ１ａ，Ｌ１ｂ，Ｌ１ｃ，Ｌ１ｄになるように、発光素子光源１が導光レンズ２の放物柱状反射面２ｂの焦線上に配置されている。
【００５２】
更に、第１の実施形態の照明装置１０では、図２に示すように、導光レンズ２の中実部２−２の下側部分２−２ａと中空部２−１との境界面によって透過面２ｇが形成されている。詳細には、導光レンズ２の透過面２ｇが、例えば水平線を図２の手前−奥側方向（図１の上下方向）にスイープさせる（引き伸ばしする）ことにより得られる水平面によって形成されている。更に詳細には、第１の実施形態の照明装置１０では、図５に示すように、発光素子光源３ａ，３ｂ，３ｃ，３ｄから放射された光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３が導光レンズ２の透過面２ｇを透過せしめられるように、導光レンズ２の透過面２ｇが、少なくとも発光素子光源３ａ，３ｂ，３ｃ，３ｄのほぼ真上付近に配置されている。
【００５３】
また、第１の実施形態の照明装置１０では、図２に示すように、導光レンズ２の中実部２−２の下側部分２−２ａの外側表面によって反射面２ｃが形成されている。詳細には、導光レンズ２の反射面２ｃが、直線を図２の手前−奥側方向（図１の上下方向）にスイープさせる（引き伸ばしする）ことにより得られる平面によって形成されている。更に詳細には、第１の実施形態の照明装置１０では、図３に示す鉛直断面内において、導光レンズ２の反射面２ｂからの光Ｌ１ａ，Ｌ１ｂ，Ｌ１ｃ，Ｌ１ｄが導光レンズ２の反射面２ｃによって反射されると鉛直方向（図３の上向き）に進む光Ｌ１ａ，Ｌ１ｂ，Ｌ１ｃ，Ｌ１ｄになるように、導光レンズ２の反射面２ｃが形成されている。
【００５４】
更に、第１の実施形態の照明装置１０では、図２に示すように、導光レンズ２の中実部２−２の上側部分２−２ｂの外側表面によって反射面２ｄが形成されている。詳細には、導光レンズ２の反射面２ｄが、直線を図２の手前−奥側方向（図１の上下方向）にスイープさせる（引き伸ばしする）ことにより得られる平面によって形成されている。更に詳細には、第１の実施形態の照明装置１０では、図３に示すように、導光レンズ２の反射面２ｃからの光Ｌ１ａ，Ｌ１ｂ，Ｌ１ｃ，Ｌ１ｄが導光レンズ２の反射面２ｄによって反射されると水平光Ｌ１ａ，Ｌ１ｂ，Ｌ１ｃ，Ｌ１ｄになるように、導光レンズ２の反射面２ｄが形成されている。
【００５５】
また、第１の実施形態の照明装置１０では、図２に示すように、導光レンズ２の中実部２−２の上側部分２−２ｂと中空部２−１との境界面によって反射面２ｅ１が形成されている。詳細には、導光レンズ２の反射面２ｅ１が、直線を図２の手前−奥側方向（図１の上下方向）にスイープさせる（引き伸ばしする）ことにより得られる平面によって形成されている。更に詳細には、第１の実施形態の照明装置１０では、図３に示す鉛直断面内において、導光レンズ２の反射面２ｄからの光Ｌ１ａが導光レンズ２の反射面２ｅ１によって反射されると鉛直方向（図３の上向き）に進む光（発光素子光源１の光軸１’に平行な光）Ｌ１ａになるように、導光レンズ２の反射面２ｅ１が形成されている。
【００５６】
更に、第１の実施形態の照明装置１０では、図２に示すように、導光レンズ２の中実部２−２の上側部分２−２ｂと中空部２−１との境界面によって反射面２ｅ２が形成されている。詳細には、導光レンズ２の反射面２ｅ２が、直線を図２の手前−奥側方向（図１の上下方向）にスイープさせる（引き伸ばしする）ことにより得られる平面によって形成されている。更に詳細には、第１の実施形態の照明装置１０では、図３に示す鉛直断面内において、導光レンズ２の反射面２ｄからの光Ｌ１ｂが導光レンズ２の反射面２ｅ２によって反射されると鉛直方向（図３の上向き）に進む光（発光素子光源１の光軸１’に平行な光）Ｌ１ｂになるように、導光レンズ２の反射面２ｅ２が形成されている。
【００５７】
また、第１の実施形態の照明装置１０では、図２に示すように、導光レンズ２の中実部２−２の上側部分２−２ｂと中空部２−１との境界面によって、反射面２ｅ１と反射面２ｅ２との間に透過面２ｈ１が形成されている。詳細には、導光レンズ２の透過面２ｈ１が、水平線を図２の手前−奥側方向（図１の上下方向）にスイープさせる（引き伸ばしする）ことにより得られる水平面によって形成されている。更に詳細には、第１の実施形態の照明装置１０では、図５に示すように、導光レンズ２の透過面２ｇを透過せしめられた光Ｌ３ａ１，Ｌ３ｂ１，Ｌ３ｃ１，Ｌ３ｄ１が導光レンズ２の透過面２ｈ１を透過せしめられるように、導光レンズ２の透過面２ｈ１が、導光レンズ２の透過面２ｇからの光Ｌ３ａ１，Ｌ３ｂ１，Ｌ３ｃ１，Ｌ３ｄ１の光路上に配置されている。
【００５８】
更に、第１の実施形態の照明装置１０では、図２に示すように、導光レンズ２の中実部２−２の上側部分２−２ｂと中空部２−１との境界面によって反射面２ｅ３が形成されている。詳細には、導光レンズ２の反射面２ｅ３が、直線を図２の手前−奥側方向（図１の上下方向）にスイープさせる（引き伸ばしする）ことにより得られる平面によって形成されている。更に詳細には、第１の実施形態の照明装置１０では、図３に示す鉛直断面内において、導光レンズ２の反射面２ｄからの光Ｌ１ｃが導光レンズ２の反射面２ｅ３によって反射されると鉛直方向（図３の上向き）に進む光（発光素子光源１の光軸１’に平行な光）Ｌ１ｃになるように、導光レンズ２の反射面２ｅ３が形成されている。
【００５９】
また、第１の実施形態の照明装置１０では、図２に示すように、導光レンズ２の中実部２−２の上側部分２−２ｂと中空部２−１との境界面によって、反射面２ｅ２と反射面２ｅ３との間に透過面２ｈ２が形成されている。詳細には、導光レンズ２の透過面２ｈ２が、水平線を図２の手前−奥側方向（図１の上下方向）にスイープさせる（引き伸ばしする）ことにより得られる水平面によって形成されている。更に詳細には、第１の実施形態の照明装置１０では、図５に示すように、導光レンズ２の透過面２ｇを透過せしめられた光Ｌ３ａ２，Ｌ３ｂ２，Ｌ３ｃ２，Ｌ３ｄ２が導光レンズ２の透過面２ｈ２を透過せしめられるように、導光レンズ２の透過面２ｈ２が、導光レンズ２の透過面２ｇからの光Ｌ３ａ２，Ｌ３ｂ２，Ｌ３ｃ２，Ｌ３ｄ２の光路上に配置されている。
【００６０】
更に、第１の実施形態の照明装置１０では、図２に示すように、導光レンズ２の中実部２−２の上側部分２−２ｂと中空部２−１との境界面によって反射面２ｅ４が形成されている。詳細には、導光レンズ２の反射面２ｅ４が、直線を図２の手前−奥側方向（図１の上下方向）にスイープさせる（引き伸ばしする）ことにより得られる平面によって形成されている。更に詳細には、第１の実施形態の照明装置１０では、図３に示す鉛直断面内において、導光レンズ２の反射面２ｄからの光Ｌ１ｄが導光レンズ２の反射面２ｅ４によって反射されると鉛直方向（図３の上向き）に進む光（発光素子光源１の光軸１’に平行な光）Ｌ１ｄになるように、導光レンズ２の反射面２ｅ４が形成されている。
【００６１】
また、第１の実施形態の照明装置１０では、図２に示すように、導光レンズ２の中実部２−２の上側部分２−２ｂと中空部２−１との境界面によって、反射面２ｅ３と反射面２ｅ４との間に透過面２ｈ３が形成されている。詳細には、導光レンズ２の透過面２ｈ３が、水平線を図２の手前−奥側方向（図１の上下方向）にスイープさせる（引き伸ばしする）ことにより得られる水平面によって形成されている。更に詳細には、第１の実施形態の照明装置１０では、図５に示すように、導光レンズ２の透過面２ｇを透過せしめられた光Ｌ３ａ３，Ｌ３ｂ３，Ｌ３ｃ３，Ｌ３ｄ３が導光レンズ２の透過面２ｈ３を透過せしめられるように、導光レンズ２の透過面２ｈ３が、導光レンズ２の透過面２ｇからの光Ｌ３ａ３，Ｌ３ｂ３，Ｌ３ｃ３，Ｌ３ｄ３の光路上に配置されている。
【００６２】
更に、第１の実施形態の照明装置１０では、図２に示すように、導光レンズ２の中実部２−２の上側部分２−２ｂの外側表面によって出射面２ｆが形成されている。詳細には、導光レンズ２の出射面２ｆが、水平線を図２の手前−奥側方向（図１の上下方向）にスイープさせる（引き伸ばしする）ことにより得られる水平面によって形成されている。更に詳細には、第１の実施形態の照明装置１０では、図３に示す鉛直断面内において、導光レンズ２の反射面２ｅ１，２ｅ２，２ｅ３，２ｅ４（図２参照）からの光Ｌ１ａ，Ｌ１ｂ，Ｌ１ｃ，Ｌ１ｄが導光レンズ２の出射面２ｆを透過せしめられるように、導光レンズ２の出射面２ｆが、導光レンズ２の反射面２ｅ１，２ｅ２，２ｅ３，２ｅ４からの光Ｌ１ａ，Ｌ１ｂ，Ｌ１ｃ，Ｌ１ｄの光路上に配置されている。また、図５に示すように、導光レンズ２の透過面２ｈ１，２ｈ２，２ｈ３からの光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３が導光レンズ２の出射面２ｆを透過せしめられるように、導光レンズ２の出射面２ｆが、導光レンズ２の透過面２ｈ１，２ｈ２，２ｈ３からの光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３の光路上に配置されている。
【００６３】
そのため、第１の実施形態の照明装置１０では、図３に示す鉛直断面内において、発光素子光源１から放射された光Ｌ１ａ，Ｌ１ｂ，Ｌ１ｃ，Ｌ１ｄが、導光レンズ２の入射面２ａを介して導光レンズ２内に入射し、次いで、導光レンズ２の放物系反射面２ｂによって内面反射されて発光素子光源１の光軸１’から遠ざかる向きに進み、次いで、導光レンズ２の反射面２ｃによって内面反射され、次いで、導光レンズ２の反射面２ｄによって内面反射されて発光素子光源１の光軸１’に近づく向きに進み、次いで、導光レンズ２の反射面２ｅ１，２ｅ２，２ｅ３，２ｅ４によって内面反射されて発光素子光源１の光軸１’に概略平行な向きに進み、導光レンズ２の出射面２ｆを介して照明装置の照射方向（図３の上側）に照射される。
【００６４】
換言すれば、第１の実施形態の照明装置１０では、図３に示すように、導光レンズ２の反射面２ｄからの光Ｌ１ａ，Ｌ１ｂ，Ｌ１ｃ，Ｌ１ｄを反射して照明装置の照射方向（図３の上側）に進む光Ｌ１ａ，Ｌ１ｂ，Ｌ１ｃ，Ｌ１ｄにするための反射面として、導光レンズ２の中実部２−２と中空部２−１との境界面によって形成される導光レンズ２の反射面２ｅ１，２ｅ２，２ｅ３，２ｅ４（図２参照）が設けられている。
【００６５】
つまり、第１の実施形態の照明装置１０では、図３に示すように、導光レンズ２の反射面２ｄからの光Ｌ１ａ，Ｌ１ｂ，Ｌ１ｃ，Ｌ１ｄが、特開２００８−３４１２４号公報の図２に記載された照明装置のようにリフレクタの反射面によって外面反射されるのではなく、導光レンズ２の反射面２ｅ１，２ｅ２，２ｅ３，２ｅ４（図２参照）によって内面反射される。
【００６６】
その結果、第１の実施形態の照明装置１０によれば、導光レンズ２の反射面２ｄからの光Ｌ１ａ，Ｌ１ｂ，Ｌ１ｃ，Ｌ１ｄがリフレクタの反射面によって外面反射される特開２００８−３４１２４号公報の図２に記載された照明装置よりも、導光レンズ２の反射面２ｄからの光Ｌ１ａ，Ｌ１ｂ，Ｌ１ｃ，Ｌ１ｄを反射する反射面２ｅ１，２ｅ２，２ｅ３，２ｅ４（図２参照）の反射率を向上させることができる。
【００６７】
更に、第１の実施形態の照明装置１０では、図２（Ａ）に示すように、導光レンズ２の反射面２ｂを隔てて発光素子光源１の反対側（図２（Ａ）の上側）であって発光素子光源１の光軸１’に近接する位置に導光レンズ２の反射面２ｅ１が配置されている。
【００６８】
また、第１の実施形態の照明装置１０では、図３に示す鉛直断面内において、導光レンズ２の反射面２ｅ１からの光Ｌ１ａが発光素子光源１の光軸１’に概略平行な向きに進み、導光レンズ２の出射面２ｆを介して照明装置の照射方向（図３の上側）に照射される。
【００６９】
そのため、第１の実施形態の照明装置１０によれば、図４に示すように、照明装置の照射方向から照明装置１０を見た時に、照明装置１０のうち、導光レンズ２の反射面２ｂ（図２参照）の真上に位置する部分（導光レンズ２の反射面２ｅ１）が光って見えるようにすることができる。
【００７０】
詳細には、第１の実施形態の照明装置１０では、図４に示すように、照明装置の照射方向から照明装置１０を見た時に、照明装置１０のうち、導光レンズ２の反射面２ｅ１，２ｅ２，２ｅ３，２ｅ４が光って見えるようにすることができる。
【００７１】
また、第１の実施形態の照明装置１０では、図２に示すように、導光レンズ２の反射面２ｅ１，２ｅ２，２ｅ３，２ｅ４が互いに離間して配置されている。更に、互いに離間して配置された導光レンズ２の反射面２ｅ１，２ｅ２，２ｅ３，２ｅ４の間に、導光レンズ２の透過面２ｈ１，２ｈ２，２ｈ３が形成されている。また、発光素子光源３ａ，３ｂ，３ｃ，３ｄが発光素子光源１から離間して配置されている。
【００７２】
詳細には、第１の実施形態の照明装置１０では、図５（Ａ）に示すように、発光素子光源３ａ，３ｂから放射された光Ｌ３ａ１，Ｌ３ａ２，Ｌ３ａ３，Ｌ３ｂ１，Ｌ３ｂ２，Ｌ３ｂ３が、導光レンズ２の入射面２ｉ１，２ｉ２を介して導光レンズ２内に入射し、次いで、導光レンズ２の透過面２ｇを透過せしめられ、次いで、導光レンズ２の透過面２ｈ１，２ｈ２，２ｈ３を透過せしめられ、次いで、導光レンズ２の出射面２ｆを介して照明装置の照射方向（図５（Ａ）の上側）に照射される。
【００７３】
また、第１の実施形態の照明装置１０では、図５（Ｂ）に示すように、発光素子光源３ｃ，３ｄから放射された光Ｌ３ｃ１，Ｌ３ｃ２，Ｌ３ｃ３，Ｌ３ｄ１，Ｌ３ｄ２，Ｌ３ｄ３が、導光レンズ２の入射面２ｉ３，２ｉ４を介して導光レンズ２内に入射し、次いで、導光レンズ２の透過面２ｇを透過せしめられ、次いで、導光レンズ２の透過面２ｈ１，２ｈ２，２ｈ３を透過せしめられ、次いで、導光レンズ２の出射面２ｆを介して照明装置の照射方向（図５（Ｂ）の上側）に照射される。
【００７４】
つまり、第１の実施形態の照明装置１０では、図１に示すように、照明装置の照射方向から照明装置１０を見た時に、発光素子光源３ａ，３ｂ，３ｃ，３ｄから放射され、導光レンズ２の出射面２ｆから出射した光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３（図５参照）によって、発光素子光源３ａ，３ｂ，３ｃ，３ｄが光って見える。
【００７５】
一方、第１の実施形態の照明装置１０では、図３に示すように、発光素子光源１から放射された光Ｌ１ａ，Ｌ１ｂ，Ｌ１ｃ，Ｌ１ｄが、導光レンズ２の入射面２ａを介して導光レンズ２内に入射し、次いで、導光レンズ２の放物系反射面２ｂによって内面反射され、次いで、導光レンズ２の反射面２ｃによって内面反射され、次いで、導光レンズ２の反射面２ｄによって内面反射され、次いで、導光レンズ２の反射面２ｅ１，２ｅ２，２ｅ３，２ｅ４によって内面反射され、次いで、導光レンズ２の出射面２ｆを介して照明装置の照射方向（図３の上側）に照射される。
【００７６】
つまり、第１の実施形態の照明装置１０では、図４に示すように、照明装置の照射方向から照明装置１０を見た時に、発光素子光源１（図２参照）から放射され、導光レンズ２の出射面２ｆから出射した光Ｌ１ａ，Ｌ１ｂ，Ｌ１ｃ，Ｌ１ｄ（図３参照）によって、導光レンズ２の反射面２ｅ１，２ｅ２，２ｅ３，２ｅ４が光って見える。
【００７７】
そのため、第１の実施形態の照明装置１０によれば、照明装置１０の観察者に照明装置１０の奥行き感を感じさせることができる。すなわち、第１の実施形態の照明装置１０によれば、照明装置１０を立体的に見せることができる。
【００７８】
以下、本発明の照明装置の第２の実施形態について説明する。図６は第２の実施形態の照明装置１０の平面図である。図７は第２の実施形態の照明装置１０の鉛直断面図である。詳細には、図７（Ａ）は図６のＤ−Ｄ線に沿った鉛直断面図、図７（Ｂ）は図６のＥ−Ｅ線に沿った鉛直断面図である。図８は発光素子光源１から放射された光Ｌ１ａ，Ｌ１ｂ，Ｌ１ｃ，Ｌ１ｄの光路を示した図である。詳細には、図８（Ａ）は図７（Ａ）に示す鉛直断面内における発光素子光源１から放射された光Ｌ１ａ，Ｌ１ｂ，Ｌ１ｃ，Ｌ１ｄの光路を示した図、図８（Ｂ）は図７（Ｂ）に示す鉛直断面内における発光素子光源１から放射された光Ｌ１ａ，Ｌ１ｂ，Ｌ１ｃ，Ｌ１ｄの光路を示した図である。図９は発光素子光源１の点灯時に照明装置の照射方向から照明装置１０を見た場合に光って見える部分を説明するための図である。
【００７９】
図１０は発光素子光源３ａ，３ｂ，３ｃ，３ｄから放射された光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３の光路を示した図である。詳細には、図１０（Ａ）は図７（Ａ）に示す鉛直断面内における発光素子光源３ａ，３ｂから放射された光Ｌ３ａ１，Ｌ３ａ２，Ｌ３ａ３，Ｌ３ｂ１，Ｌ３ｂ２，Ｌ３ｂ３の光路を示した図である。図１０（Ｂ）は図７（Ｂ）に示す鉛直断面内における発光素子光源３ｃ，３ｄから放射された光Ｌ３ｃ１，Ｌ３ｃ２，Ｌ３ｃ３，Ｌ３ｄ１，Ｌ３ｄ２，Ｌ３ｄ３の光路を示した図である。
【００８０】
第２の実施形態の照明装置１０では、図６および図７に示すように、例えばＬＥＤなどのような発光素子光源１，３ａ，３ｂ，３ｃ，３ｄが基板４上に搭載されている。更に、例えばアクリル樹脂、ポリカーボネート樹脂などのような透光性材料によって形成された導光レンズ２が、例えば接着などによって基板４に接合されている。
【００８１】
詳細には、第２の実施形態の照明装置１０では、図７に示すように、中実部２−２の下側部分２−２ａと上側部分２−２ｂとを例えば接着などによって接合することにより、導光レンズ２の中実部２−２が形成されている。更に、導光レンズ２の中実部２−２の下側部分２−２ａと上側部分２−２ｂとの間に中空部２−１が配置されている。
【００８２】
更に、第２の実施形態の照明装置１０では、図７に示すように、導光レンズ２の中実部２−２の下側部分２−２ａの下面のうち、発光素子光源１に対向する位置に、例えば概略半球状の入射面２ａが形成されている。詳細には、第２の実施形態の照明装置１０では、図８に示すように、発光素子光源１から放射された光Ｌ１ａ，Ｌ１ｂ，Ｌ１ｃ，Ｌ１ｄが導光レンズ２の入射面２ａを素通しせしめられるように、導光レンズ２の入射面２ａが形成されている。
【００８３】
また、第２の実施形態の照明装置１０では、図７（Ａ）に示すように、導光レンズ２の中実部２−２の下側部分２−２ａの下面のうち、発光素子光源３ａに対向する位置に例えば概略半球状の入射面２ｉ１が形成され、発光素子光源３ｂに対向する位置に例えば概略半球状の入射面２ｉ２が形成されている。詳細には、第２の実施形態の照明装置１０では、図１０（Ａ）に示すように、発光素子光源３ａから放射された光Ｌ３ａ１，Ｌ３ａ２，Ｌ３ａ３が導光レンズ２の入射面２ｉ１を素通しせしめられるように、導光レンズ２の入射面２ｉ１が形成されている。更に、発光素子光源３ｂから放射された光Ｌ３ｂ１，Ｌ３ｂ２，Ｌ３ｂ３が導光レンズ２の入射面２ｉ２を素通しせしめられるように、導光レンズ２の入射面２ｉ２が形成されている。
【００８４】
更に、第２の実施形態の照明装置１０では、図７（Ｂ）に示すように、導光レンズ２の中実部２−２の下側部分２−２ａの下面のうち、発光素子光源３ｃに対向する位置に例えば概略半球状の入射面２ｉ３が形成され、発光素子光源３ｄに対向する位置に例えば概略半球状の入射面２ｉ４が形成されている。詳細には、第１の実施形態の照明装置１０では、図１０（Ｂ）に示すように、発光素子光源３ｃから放射された光Ｌ３ｃ１，Ｌ３ｃ２，Ｌ３ｃ３が導光レンズ２の入射面２ｉ３を素通しせしめられるように、導光レンズ２の入射面２ｉ３が形成されている。更に、発光素子光源３ｄから放射された光Ｌ３ｄ１，Ｌ３ｄ２，Ｌ３ｄ３が導光レンズ２の入射面２ｉ４を素通しせしめられるように、導光レンズ２の入射面２ｉ４が形成されている。
【００８５】
また、第２の実施形態の照明装置１０では、図７に示すように、導光レンズ２の中実部２−２の下側部分２−２ａと中空部２−１との境界面によって反射面２ｂが形成されている。詳細には、図７に示す放物線を、発光素子光源１の光軸１’を中心に回転させることにより得られる回転放物面によって、導光レンズ２の反射面２ｂが形成されている。更に詳細には、第２の実施形態の照明装置１０では、図８に示すように、発光素子光源１から放射された光Ｌ１ａ，Ｌ１ｂ，Ｌ１ｃ，Ｌ１ｄが導光レンズ２の反射面２ｂによって反射されると水平光（発光素子光源１の光軸１’に垂直な光）Ｌ１ａ，Ｌ１ｂ，Ｌ１ｃ，Ｌ１ｄになるように、発光素子光源１が導光レンズ２の回転放物反射面２ｂの焦点上に配置されている。
【００８６】
更に、第２の実施形態の照明装置１０では、図７に示すように、導光レンズ２の中実部２−２の下側部分２−２ａと中空部２−１との境界面によって透過面２ｇが形成されている。詳細には、例えば図７に示す水平線を、発光素子光源１の光軸１’を中心に回転させることにより得られる水平面によって、導光レンズ２の透過面２ｇが形成されている。更に詳細には、第２の実施形態の照明装置１０では、図１０に示すように、発光素子光源３ａ，３ｂ，３ｃ，３ｄから放射された光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３が導光レンズ２の透過面２ｇを透過せしめられるように、導光レンズ２の透過面２ｇが、少なくとも発光素子光源３ａ，３ｂ，３ｃ，３ｄのほぼ真上付近に配置されている。
【００８７】
また、第２の実施形態の照明装置１０では、図７に示すように、導光レンズ２の中実部２−２の下側部分２−２ａの外側表面によって反射面２ｃが形成されている。詳細には、図７に示す直線を、発光素子光源１の光軸１’を中心に回転させることにより得られる曲面によって、導光レンズ２の反射面２ｃが形成されている。更に詳細には、第２の実施形態の照明装置１０では、図８に示すように、導光レンズ２の反射面２ｂからの光Ｌ１ａ，Ｌ１ｂ，Ｌ１ｃ，Ｌ１ｄが導光レンズ２の反射面２ｃによって反射されると鉛直方向（図８の上向き）に進む光（発光素子光源１の光軸１’に平行な光）Ｌ１ａ，Ｌ１ｂ，Ｌ１ｃ，Ｌ１ｄになるように、導光レンズ２の反射面２ｃが形成されている。
【００８８】
更に、第２の実施形態の照明装置１０では、図７に示すように、導光レンズ２の中実部２−２の上側部分２−２ｂの外側表面によって反射面２ｄが形成されている。詳細には、図７に示す直線を、発光素子光源１の光軸１’を中心に回転させることにより得られる曲面によって、導光レンズ２の反射面２ｄが形成されている。更に詳細には、第２の実施形態の照明装置１０では、図８に示すように、導光レンズ２の反射面２ｃからの光Ｌ１ａ，Ｌ１ｂ，Ｌ１ｃ，Ｌ１ｄが導光レンズ２の反射面２ｄによって反射されると水平光（発光素子光源１の光軸１’に垂直な光）Ｌ１ａ，Ｌ１ｂ，Ｌ１ｃ，Ｌ１ｄになるように、導光レンズ２の反射面２ｄが形成されている。
【００８９】
また、第２の実施形態の照明装置１０では、図７に示すように、導光レンズ２の中実部２−２の上側部分２−２ｂと中空部２−１との境界面によって反射面２ｅ１が形成されている。詳細には、図７に示す直線を、発光素子光源１の光軸１’を中心に回転させることにより得られる曲面によって、導光レンズ２の反射面２ｅ１が形成されている。更に詳細には、第２の実施形態の照明装置１０では、図８に示すように、導光レンズ２の反射面２ｄからの光Ｌ１ａが導光レンズ２の反射面２ｅ１によって反射されると鉛直方向（図８の上向き）に進む光（発光素子光源１の光軸１’に平行な光）Ｌ１ａになるように、導光レンズ２の反射面２ｅ１が形成されている。
【００９０】
更に、第２の実施形態の照明装置１０では、図７に示すように、導光レンズ２の中実部２−２の上側部分２−２ｂと中空部２−１との境界面によって反射面２ｅ２が形成されている。詳細には、図７に示す直線を、発光素子光源１の光軸１’を中心に回転させることにより得られる曲面によって、導光レンズ２の反射面２ｅ２が形成されている。更に詳細には、第２の実施形態の照明装置１０では、図８に示すように、導光レンズ２の反射面２ｄからの光Ｌ１ｂが導光レンズ２の反射面２ｅ２によって反射されると鉛直方向（図８の上向き）に進む光（発光素子光源１の光軸１’に平行な光）Ｌ１ｂになるように、導光レンズ２の反射面２ｅ２が形成されている。
【００９１】
また、第２の実施形態の照明装置１０では、図７に示すように、導光レンズ２の中実部２−２の上側部分２−２ｂと中空部２−１との境界面によって、反射面２ｅ１と反射面２ｅ２との間に透過面２ｈ１が形成されている。詳細には、図７に示す水平線を、発光素子光源１の光軸１’を中心に回転させることにより得られる水平面によって、導光レンズ２の透過面２ｈ１が形成されている。更に詳細には、第２の実施形態の照明装置１０では、図１０に示すように、導光レンズ２の透過面２ｇを透過せしめられた光Ｌ３ａ１，Ｌ３ｂ１，Ｌ３ｃ１，Ｌ３ｄ１が導光レンズ２の透過面２ｈ１を透過せしめられるように、導光レンズ２の透過面２ｈ１が、導光レンズ２の透過面２ｇからの光Ｌ３ａ１，Ｌ３ｂ１，Ｌ３ｃ１，Ｌ３ｄ１の光路上に配置されている。
【００９２】
更に、第２の実施形態の照明装置１０では、図７に示すように、導光レンズ２の中実部２−２の上側部分２−２ｂと中空部２−１との境界面によって反射面２ｅ３が形成されている。詳細には、図７に示す直線を、発光素子光源１の光軸１’を中心に回転させることにより得られる曲面によって、導光レンズ２の反射面２ｅ３が形成されている。更に詳細には、第２の実施形態の照明装置１０では、図８に示すように、導光レンズ２の反射面２ｄからの光Ｌ１ｃが導光レンズ２の反射面２ｅ３によって反射されると鉛直方向（図８の上向き）に進む光（発光素子光源１の光軸１’に平行な光）Ｌ１ｃになるように、導光レンズ２の反射面２ｅ３が形成されている。
【００９３】
また、第２の実施形態の照明装置１０では、図７に示すように、導光レンズ２の中実部２−２の上側部分２−２ｂと中空部２−１との境界面によって、反射面２ｅ２と反射面２ｅ３との間に透過面２ｈ２が形成されている。詳細には、図７に示す水平線を、発光素子光源１の光軸１’を中心に回転させることにより得られる水平面によって、導光レンズ２の透過面２ｈ２が、形成されている。更に詳細には、第２の実施形態の照明装置１０では、図１０に示すように、導光レンズ２の透過面２ｇを透過せしめられた光Ｌ３ａ２，Ｌ３ｂ２，Ｌ３ｃ２，Ｌ３ｄ２が導光レンズ２の透過面２ｈ２を透過せしめられるように、導光レンズ２の透過面２ｈ２が、導光レンズ２の透過面２ｇからの光Ｌ３ａ２，Ｌ３ｂ２，Ｌ３ｃ２，Ｌ３ｄ２の光路上に配置されている。
【００９４】
更に、第２の実施形態の照明装置１０では、図７に示すように、導光レンズ２の中実部２−２の上側部分２−２ｂと中空部２−１との境界面によって反射面２ｅ４が形成されている。詳細には、図７に示す直線を、発光素子光源１の光軸１’を中心に回転させることにより得られる曲面によって、導光レンズ２の反射面２ｅ４が形成されている。更に詳細には、第２の実施形態の照明装置１０では、図８に示すように、導光レンズ２の反射面２ｄからの光Ｌ１ｄが導光レンズ２の反射面２ｅ４によって反射されると鉛直方向（図８の上向き）に進む光（発光素子光源１の光軸１’に平行な光）Ｌ１ｄになるように、導光レンズ２の反射面２ｅ４が形成されている。
【００９５】
また、第２の実施形態の照明装置１０では、図７に示すように、導光レンズ２の中実部２−２の上側部分２−２ｂと中空部２−１との境界面によって、反射面２ｅ３と反射面２ｅ４との間に透過面２ｈ３が形成されている。詳細には、図７に示す水平線を、発光素子光源１の光軸１’を中心に回転させることにより得られる水平面によって、導光レンズ２の透過面２ｈ３が形成されている。更に詳細には、第２の実施形態の照明装置１０では、図１０に示すように、導光レンズ２の透過面２ｇを透過せしめられた光Ｌ３ａ３，Ｌ３ｂ３，Ｌ３ｃ３，Ｌ３ｄ３が導光レンズ２の透過面２ｈ３を透過せしめられるように、導光レンズ２の透過面２ｈ３が、導光レンズ２の透過面２ｇからの光Ｌ３ａ３，Ｌ３ｂ３，Ｌ３ｃ３，Ｌ３ｄ３の光路上に配置されている。
【００９６】
更に、第２の実施形態の照明装置１０では、図７に示すように、導光レンズ２の中実部２−２の上側部分２−２ｂの外側表面によって出射面２ｆが形成されている。詳細には、図７に示す水平線を、発光素子光源１の光軸１’を中心に回転させることにより得られる水平面によって、導光レンズ２の出射面２ｆが形成されている。更に詳細には、第２の実施形態の照明装置１０では、図８に示すように、導光レンズ２の反射面２ｅ１，２ｅ２，２ｅ３，２ｅ４（図７参照）からの光Ｌ１ａ，Ｌ１ｂ，Ｌ１ｃ，Ｌ１ｄが導光レンズ２の出射面２ｆを透過せしめられるように、導光レンズ２の出射面２ｆが、導光レンズ２の反射面２ｅ１，２ｅ２，２ｅ３，２ｅ４からの光Ｌ１ａ，Ｌ１ｂ，Ｌ１ｃ，Ｌ１ｄの光路上に配置されている。また、図１０に示すように、導光レンズ２の透過面２ｈ１，２ｈ２，２ｈ３からの光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３が導光レンズ２の出射面２ｆを透過せしめられるように、導光レンズ２の出射面２ｆが、導光レンズ２の透過面２ｈ１，２ｈ２，２ｈ３からの光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３の光路上に配置されている。
【００９７】
そのため、第２の実施形態の照明装置１０では、図８に示すように、発光素子光源１から放射された光Ｌ１ａ，Ｌ１ｂ，Ｌ１ｃ，Ｌ１ｄが、導光レンズ２の入射面２ａを介して導光レンズ２内に入射し、次いで、導光レンズ２の放物系反射面２ｂによって内面反射されて発光素子光源１の光軸１’から遠ざかる向きに進み、次いで、導光レンズ２の反射面２ｃによって内面反射され、次いで、導光レンズ２の反射面２ｄによって内面反射されて発光素子光源１の光軸１’に近づく向きに進み、次いで、導光レンズ２の反射面２ｅ１，２ｅ２，２ｅ３，２ｅ４によって内面反射されて発光素子光源１の光軸１’に概略平行な向きに進み、導光レンズ２の出射面２ｆを介して照明装置の照射方向（図８の上側）に照射される。
【００９８】
換言すれば、第２の実施形態の照明装置１０では、図８に示すように、導光レンズ２の反射面２ｄからの光Ｌ１ａ，Ｌ１ｂ，Ｌ１ｃ，Ｌ１ｄを反射して照明装置の照射方向（図８の上側）に進む光Ｌ１ａ，Ｌ１ｂ，Ｌ１ｃ，Ｌ１ｄにするための反射面として、導光レンズ２の中実部２−２と中空部２−１との境界面によって形成される導光レンズ２の反射面２ｅ１，２ｅ２，２ｅ３，２ｅ４（図７参照）が設けられている。
【００９９】
つまり、第２の実施形態の照明装置１０では、図８に示すように、導光レンズ２の反射面２ｄからの光Ｌ１ａ，Ｌ１ｂ，Ｌ１ｃ，Ｌ１ｄが、特開２００８−３４１２４号公報の図２に記載された照明装置のようにリフレクタの反射面によって外面反射されるのではなく、導光レンズ２の反射面２ｅ１，２ｅ２，２ｅ３，２ｅ４（図７参照）によって内面反射される。
【０１００】
その結果、第２の実施形態の照明装置１０によれば、導光レンズ２の反射面２ｄからの光Ｌ１ａ，Ｌ１ｂ，Ｌ１ｃ，Ｌ１ｄがリフレクタの反射面によって外面反射される特開２００８−３４１２４号公報の図２に記載された照明装置よりも、導光レンズ２の反射面２ｄからの光Ｌ１ａ，Ｌ１ｂ，Ｌ１ｃ，Ｌ１ｄを反射する反射面２ｅ１，２ｅ２，２ｅ３，２ｅ４（図７参照）の反射率を向上させることができる。
【０１０１】
更に、第２の実施形態の照明装置１０では、図７に示すように、導光レンズ２の反射面２ｂを隔てて発光素子光源１の反対側（図７の上側）であって発光素子光源１の光軸１’に近接する位置に導光レンズ２の反射面２ｅ１が配置されている。
【０１０２】
また、第２の実施形態の照明装置１０では、図８に示すように、導光レンズ２の反射面２ｅ１からの光Ｌ１ａが発光素子光源１の光軸１’に平行に進み、導光レンズ２の出射面２ｆを介して照明装置の照射方向（図８の上側）に照射される。
【０１０３】
そのため、第２の実施形態の照明装置１０によれば、図９に示すように、照明装置の照射方向から照明装置１０を見た時に、照明装置１０のうち、導光レンズ２の反射面２ｂ（図７参照）の真上に位置する部分（導光レンズ２の反射面２ｅ１）が光って見えるようにすることができる。
【０１０４】
詳細には、第２の実施形態の照明装置１０では、図９に示すように、照明装置の照射方向から照明装置１０を見た時に、照明装置１０のうち、導光レンズ２の反射面２ｅ１，２ｅ２，２ｅ３，２ｅ４が光って見えるようにすることができる。
【０１０５】
また、第２の実施形態の照明装置１０では、図７に示すように、導光レンズ２の反射面２ｅ１，２ｅ２，２ｅ３，２ｅ４が互いに離間して配置されている。更に、互いに離間して配置された導光レンズ２の反射面２ｅ１，２ｅ２，２ｅ３，２ｅ４の間に、導光レンズ２の透過面２ｈ１，２ｈ２，２ｈ３が形成されている。また、発光素子光源３ａ，３ｂ，３ｃ，３ｄが発光素子光源１から離間して配置されている。
【０１０６】
詳細には、第２の実施形態の照明装置１０では、図１０（Ａ）に示すように、発光素子光源３ａ，３ｂから放射された光Ｌ３ａ１，Ｌ３ａ２，Ｌ３ａ３，Ｌ３ｂ１，Ｌ３ｂ２，Ｌ３ｂ３が、導光レンズ２の入射面２ｉ１，２ｉ２を介して導光レンズ２内に入射し、次いで、導光レンズ２の透過面２ｇを透過せしめられ、次いで、導光レンズ２の透過面２ｈ１，２ｈ２，２ｈ３を透過せしめられ、次いで、導光レンズ２の出射面２ｆを介して照明装置の照射方向（図１０（Ａ）の上側）に照射される。
【０１０７】
また、第２の実施形態の照明装置１０では、図１０（Ｂ）に示すように、発光素子光源３ｃ，３ｄから放射された光Ｌ３ｃ１，Ｌ３ｃ２，Ｌ３ｃ３，Ｌ３ｄ１，Ｌ３ｄ２，Ｌ３ｄ３が、導光レンズ２の入射面２ｉ３，２ｉ４を介して導光レンズ２内に入射し、次いで、導光レンズ２の透過面２ｇを透過せしめられ、次いで、導光レンズ２の透過面２ｈ１，２ｈ２，２ｈ３を透過せしめられ、次いで、導光レンズ２の出射面２ｆを介して照明装置の照射方向（図１０（Ｂ）の上側）に照射される。
【０１０８】
つまり、第２の実施形態の照明装置１０では、図６に示すように、照明装置の照射方向から照明装置１０を見た時に、発光素子光源３ａ，３ｂ，３ｃ，３ｄから放射され、導光レンズ２の出射面２ｆから出射した光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３（図１０参照）によって、発光素子光源３ａ，３ｂ，３ｃ，３ｄが光って見える。
【０１０９】
一方、第２の実施形態の照明装置１０では、図８に示すように、発光素子光源１から放射された光Ｌ１ａ，Ｌ１ｂ，Ｌ１ｃ，Ｌ１ｄが、導光レンズ２の入射面２ａを介して導光レンズ２内に入射し、次いで、導光レンズ２の放物系反射面２ｂによって内面反射され、次いで、導光レンズ２の反射面２ｃによって内面反射され、次いで、導光レンズ２の反射面２ｄによって内面反射され、次いで、導光レンズ２の反射面２ｅ１，２ｅ２，２ｅ３，２ｅ４によって内面反射され、次いで、導光レンズ２の出射面２ｆを介して照明装置の照射方向（図８の上側）に照射される。
【０１１０】
つまり、第２の実施形態の照明装置１０では、図９に示すように、照明装置の照射方向から照明装置１０を見た時に、発光素子光源１（図７参照）から放射され、導光レンズ２の出射面２ｆから出射した光Ｌ１ａ，Ｌ１ｂ，Ｌ１ｃ，Ｌ１ｄ（図８参照）によって、導光レンズ２の反射面２ｅ１，２ｅ２，２ｅ３，２ｅ４が光って見える。
【０１１１】
そのため、第２の実施形態の照明装置１０によれば、発光素子光源３ａ，３ｂ，３ｃ，３ｄが設けられていない場合よりも、照明装置１０の観察者に照明装置１０の奥行き感を感じさせることができる。すなわち、第２の実施形態の照明装置１０によれば、発光素子光源３ａ，３ｂ，３ｃ，３ｄが設けられていない場合よりも、照明装置１０を立体的に見せることができる。
【０１１２】
更に、第２の実施形態の照明装置１０では、図８に示すように、導光レンズ２の放物系反射面２ｂからのすべての反射光Ｌ１ａ，Ｌ１ｂ，Ｌ１ｃ，Ｌ１ｄが発光素子光源１の光軸１’に直交する向きに進むように、導光レンズ２の入射面２ａおよび放物系反射面２ｂが形成されている。
【０１１３】
また、第２の実施形態の照明装置１０では、図８に示すように、導光レンズ２の反射面２ｄからのすべての反射光Ｌ１ａ，Ｌ１ｂ，Ｌ１ｃ，Ｌ１ｄが発光素子光源１の光軸１’に直交する向きに進むように、導光レンズ２の反射面２ｃおよび反射面２ｄが形成されている。
【０１１４】
更に、第２の実施形態の照明装置１０では、図８に示すように、導光レンズ２の反射面２ｅ１，２ｅ２，２ｅ３，２ｅ４からのすべての反射光Ｌ１ａ，Ｌ１ｂ，Ｌ１ｃ，Ｌ１ｄが発光素子光源１の光軸１’に平行な向きに進むように、導光レンズ２の反射面２ｅ１，２ｅ２，２ｅ３，２ｅ４が形成されている。
【０１１５】
また、第２の実施形態の照明装置１０では、図８に示すように、発光素子光源１の光軸１’に直交する平面によって導光レンズ２の出射面２ｆが構成されている。更に、第２の実施形態の照明装置１０の第１モードでは、発光素子光源１が点灯されると共に、発光素子光源３ａ，３ｂ，３ｃ，３ｄが消灯される。
【０１１６】
その結果、第２の実施形態の照明装置１０の第１モードでは、図８に示すように、導光レンズ２の出射面２ｆから出射した発光素子光源１の光軸１’に平行な光Ｌ１ａ，Ｌ１ｂ，Ｌ１ｃ，Ｌ１ｄのみによって配光パターンが形成される。つまり、第２の実施形態の照明装置１０の第１モードでは、図８および図９に示すように、導光レンズ２の出射面２ｆの大きさと等しい配光パターンが形成される。
【０１１７】
また、第２の実施形態の照明装置１０の第２モードでは、発光素子光源３ａ，３ｂ，３ｃ，３ｄが点灯されると共に、発光素子光源１が消灯される。その結果、第２の実施形態の照明装置１０の第２モードでは、図１０に示すように、発光素子光源３ａ，３ｂ，３ｃ，３ｄからの放射光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３によって、導光レンズ２の出射面２ｆの大きさよりも大きい配光パターンが形成される。
【０１１８】
そのため、第２の実施形態の照明装置１０によれば、発光素子光源１からの光Ｌ１ａ，Ｌ１ｂ，Ｌ１ｃ，Ｌ１ｄによって小さい配光パターンを形成することができると共に、発光素子光源からの光Ｌ３ａ１，Ｌ３ａ２，Ｌ３ａ３，Ｌ３ｂ１，Ｌ３ｂ２，Ｌ３ｂ３，Ｌ３ｃ１，Ｌ３ｃ２，Ｌ３ｃ３，Ｌ３ｄ１，Ｌ３ｄ２，Ｌ３ｄ３によって大きい配光パターンとを形成することができる。
【０１１９】
詳細には、第２の実施形態の照明装置１０では、図７および図９に示すように、導光レンズ２の反射面２ｅ１，２ｅ２，２ｅ３，２ｅ４が径方向に複数に分割して形成されている。そのため、第２の実施形態の照明装置１０によれば、図８および図９に示すように、第２の実施形態の照明装置の第１モードにおいて、導光レンズ２の複数に分割して形成された反射面２ｅ１，２ｅ２，２ｅ３，２ｅ４からの光Ｌ１ａ，Ｌ１ｂ，Ｌ１ｃ，Ｌ１ｄによって、複数の筋状のパターンからなる配光パターンを形成することができる。
【０１２０】
詳細には、第２の実施形態の照明装置１０の第１モードでは、図９に示すように、照明装置の照射方向から照明装置１０を見た時に、照明装置１０のうち、導光レンズ２の反射面２ｅ１，２ｅ２，２ｅ３，２ｅ４が、光って見え、面光源として機能する。また、第２の実施形態の照明装置１０の第２モードでは、図１に示すように、照明装置の照射方向から照明装置１０を見た時に、照明装置１０のうち、発光素子光源３ａ，３ｂ，３ｃ，３ｄが、光って見え、点光源として機能する。
【０１２１】
更に、第２の実施形態の照明装置１０の第３モードでは、発光素子光源１が点灯されると共に、発光素子光源３ａ，３ｂ，３ｃ，３ｄが点灯される。その結果、第２の実施形態の照明装置１０の第３モードでは、照明装置の照射方向から照明装置１０を見た時に、照明装置１０が立体的に見える。
【０１２２】
第１および第２の実施形態の照明装置１０では、例えば金属蒸着などのような金属層を利用した反射処理が、導光レンズ２に施されない。そのため、第１および第２の実施形態の照明装置１０によれば、例えば金属蒸着などのような金属層を利用した反射処理が導光レンズ２に施される場合よりも、製造工程数を低減することができる。
【０１２３】
第３の実施形態では、上述した第１および第２の実施形態を適宜組み合わせることも可能である。
【産業上の利用可能性】
【０１２４】
本発明の照明装置は、例えば遊技機器用照明、一般照明、イルミネーション用照明、車両用灯具などに適用可能である。
【符号の説明】
【０１２５】
１，３ａ，３ｂ，３ｃ，３ｄ            発光素子光源
２                                    導光レンズ
２−１                                中空部
２−２                                中実部
２−２ａ                              下側部分
２−２ｂ                              上側部分
２ａ，２ｉ１，２ｉ２，２ｉ３，２ｉ４  入射面
２ｂ，２ｃ，２ｄ                      反射面
２ｅ１，２ｅ２，２ｅ３，２ｅ４        反射面
２ｆ                                  出射面
２ｇ，２ｈ１，２ｈ２，２ｈ３          透過面
４                                    基板
１０                                  照明装置
【図１】
2010212039.tif 000003
【図２】
2010212039.tif 000004
【図３】
2010212039.tif 000005
【図４】
2010212039.tif 000006
【図５】
2010212039.tif 000007
【図６】
2010212039.tif 000008
【図７】
2010212039.tif 000009
【図８】
2010212039.tif 000010
【図９】
2010212039.tif 000011
【図１０】
2010212039.tif 000012